(57)【要約】【課題】光学ユニットの固定を解除した後の固定部材の保管処理に困らず、しかも固定部材の取り付け穴が露出しない画像読取装置および画像形成装置を提供する。【解決手段】画像形成装置１０を輸送する際には、画像読取装置１２が画像形成装置本体４２から外された後、枠体１２ａに螺着したネジ２８を、光学ユニット２６の底部に形成したネジ穴２７ｂにねじ込んで光学ユニット２６を枠体１２ａに固定する。画像読取装置１２を画像形成装置本体４２に据え付ける際には、枠体１２ａに螺着したネジ２８を緩めて光学ユニット２６の底部から外し、光学ユニット２６の固定を解除する。その後、画像読取装置１２は、枠体１２ａの底部にネジ２８が螺着した状態で、画像形成装置本体４２に据え付けられる。このとき、ネジ２８は、画像形成装置本体４２の上面に設けた凹部４２ａに収容される。【選択図】図４
2008306670.tif 000002
【特許請求の範囲】
【請求項１】
枠体と、前記枠体内に配置され、水平方向に往復移動して光学的に原稿の画像を読み取る光学ユニットとを備えた画像読取装置であって、
前記枠体の底部には前記光学ユニットを前記枠体に固定する固定部材が取り付けられ、前記画像読取装置を輸送する際には、前記固定部材が前記光学ユニットを前記枠体に固定し、前記画像読取装置を画像形成装置本体に据え付ける際には、前記固定部材による前記光学ユニットの固定が解除され、前記枠体の底部に前記固定部材が取り付けられた状態で、前記画像読取装置が画像形成装置本体に据え付けられることを特徴とする、画像読取装置。
【請求項２】
前記固定部材が前記枠体に螺着したネジであり、前記画像読取装置を輸送する際には、前記ネジを前記光学ユニットの底部にねじ込んで前記光学ユニットを前記枠体に固定し、前記画像読取装置を画像形成装置本体に据え付ける際には、前記ネジを緩めて前記光学ユニットの底部から外して前記光学ユニットの固定を解除することを特徴とする、請求項１に記載の画像読取装置。
【請求項３】
請求項１または請求項２に記載の画像読取装置と、前記画像読取装置が上部に据え付けられる画像形成装置本体とを備え、前記画像形成装置本体の上面には、前記画像読取装置の枠体の底部から突出している固定部材を収容するための凹部が設けられていることを特徴とする、画像形成装置。
【発明の詳細な説明】
【技術分野】
【０００１】
本発明は、光学ユニットを移動させることにより原稿の画像を読み取る画像読取装置およびその画像読取装置を備えた複写機などの画像形成装置に関する。
【背景技術】
【０００２】
近年の出力機器を取り巻く環境においては、パーソナルコンピュータの普及により、従来の原稿を読み取って出力物を得る方法から、パーソナルコンピュータから直接出力機器へデータを転送して出力物を得る方法が主流となりつつある。パーソナルコンピュータから直接出力機器へデータを転送して出力物を得る方法の場合、画像形成部のみの構成で出力可能であるため、画像読取部が装備されていない、いわゆるプリンターと称される出力機器で対応できる。しかし、原稿の読み取りが全くなくなったというわけではなく、パソコンから直接出力する方法と原稿を読み取って出力する方法とのどちらにも対応するためには、画像形成部と画像読取部を組み合わせる必要がある。
【０００３】
画像読取装置は、透明ガラス製のプラテン上に載置した原稿の画像を、このプラテンの下方に配置され、水平方向に移動可能な光学ユニットによって読み取るものが一般的である。自動原稿搬送装置を有し、自動的に搬送される原稿の画像を固定した光学ユニットによって読み取る画像読取装置でも、同様のプラテンを備え、プラテン上の原稿の画像を、光学ユニットを移動させて読み取ることができるようになっているものが多い。
【０００４】
光学ユニットは内部に反射ミラーや光源を備え、反射ミラーの角度や光源の配置は精密に決められている。また、光学ユニット自体は容易に動くようになっている。従って、画像読取装置を輸送する際に、傾いたり、揺れたりすることにより、光学ユニットが画像読取装置の内部で動いて衝撃を受け、反射ミラーの角度や光源の配置がずれるおそれがある。
【０００５】
特許文献１には、ネジなどの第１の固定部材と第２の固定部材とを用いて、光学ユニット（走査光学系）を画像読取装置本体に固定し、輸送時に生じる振動や衝撃によって不具合が生じないようにした固定方法が提案されている。
【０００６】
【特許文献１】特開平７−２１９０６７号公報
【発明の開示】
【発明が解決しようとする課題】
【０００７】
しかし、特許文献１に記載されている画像読取装置は、輸送後に光学ユニットの固定を解除するために、固定部材を取り外す必要があるが、取り外した固定部材の保管が煩雑であった。また、ネジなどの固定部材が取り付けられていた穴が露出した状態になるので、外観の悪化や粉塵の画像読取装置内への侵入を許すこととなっていた。
【０００８】
それゆえに、本発明の主たる目的は、光学ユニットの固定を解除した後の固定部材の保管処理に困らず、しかも固定部材の取り付け穴が露出しない画像読取装置および画像形成装置を提供することである。
【課題を解決するための手段】
【０００９】
請求項１に係る発明は、枠体と、枠体内に配置され、水平方向に往復移動して光学的に原稿の画像を読み取る光学ユニットとを備えた画像読取装置であって、枠体の底部には光学ユニットを枠体に固定する固定部材が取り付けられ、画像読取装置を輸送する際には、固定部材が光学ユニットを枠体に固定し、画像読取装置を画像形成装置本体に据え付ける際には、固定部材による光学ユニットの固定が解除され、枠体の底部に固定部材が取り付けられた状態で、画像読取装置が画像形成装置本体に据え付けられることを特徴とする、画像読取装置である。
【００１０】
請求項１の発明では、枠体に固定部材が取り付けられた状態で、画像読取装置が画像形成装置本体に据え付けられるため、光学ユニットの固定を解除した後の固定部材の保管処理に困らない。さらに、固定部材の取り付け穴は、固定部材によって塞がれたままであるため、粉塵の光学ユニット内への侵入を防止できる。
【００１１】
請求項２に係る発明は、請求項１に係る発明に従属する発明であって、固定部材が枠体に螺着したネジであり、画像読取装置を輸送する際には、ネジを光学ユニットの底部にねじ込んで光学ユニットを枠体に固定し、画像読取装置を画像形成装置本体に据え付ける際には、ネジを緩めて光学ユニットの底部から外して光学ユニットの固定を解除することを特徴とする、画像読取装置である。
【００１２】
請求項２の発明では、固定部材が通常のネジであり、複雑な構成を有する部材ではないため、画像読取装置の製造コストが安価である。また、固定部材のためのスペースも小さくてすむため、画像読取装置の小型化が図れる。
【００１３】
また、請求項３に係る発明は、請求項１または請求項２に記載の画像読取装置と、画像読取装置が上部に据え付けられる画像形成装置本体とを備え、画像形成装置本体の上面には、画像読取装置の枠体の底部から突出している固定部材を収容するための凹部が設けられていることを特徴とする、画像形成装置である。
【００１４】
請求項３の発明では、画像形成装置本体の上面に、画像読取装置の枠体の底部から突出している固定部材を収容するための凹部を設けているため、固定部材を凹部に収容することにより、画像読取装置の底面と画像形成装置本体の上面との間に大きな間隙が発生することなく、画像読取装置を画像形成装置本体上に据え付けることができる。この結果、画像読取装置を画像形成装置本体上に据え付けたときに、固定部材が露出せず、外観の悪化を招かない画像形成装置が得られる。
【発明の効果】
【００１５】
本発明によれば、枠体に固定部材が取り付けられた状態で、画像読取装置が画像形成装置本体上に据え付けられるため、光学ユニットの固定を解除した後の固定部材の保管処理に困らない。さらに、固定部材の取り付け穴は、固定部材によって塞がれたままであるため、粉塵の画像読取装置内への侵入を防止できる。
【００１６】
本発明の上述の目的、その他の目的、特徴および利点は、図面を参照して行う以下の発明を実施するための最良の形態の説明から一層明らかとなろう。
【発明を実施するための最良の形態】
【００１７】
図１は本発明に係る画像形成装置（複写機）１０を示す概略構成図であり、図２は画像形成装置１０の外観斜視図である。画像形成装置１０は、画像読取装置１２と画像形成装置本体４２とを有し、画像読取装置１２の上には押さえ蓋３６が載置される。押さえ蓋３６は開閉部材３８を支点として開閉自在に取り付けられている。
【００１８】
画像読取装置１２は、枠体１２ａ内に透明ガラス製のプラテン１４、露光ランプ１６、第１の反射ミラー１８、第２の反射ミラー１９、第３の反射ミラー２０、集光レンズ２２およびイメージセンサ（例えばライン型のＣＣＤ）２４を備えている。露光ランプ１６および第１の反射ミラー１８は枠体２６ａの内部に配置され、光学ユニット２６を構成する。光学ユニット２６は、ワイヤー３２ａとプーリー３２ｂとプーリー３２ｂに連結された図示しないモータからなる駆動部３０により、図１において左右方向（水平方向）に移動することができる。枠体１２ａの底部には、ネジ２８が螺着されている。
【００１９】
プラテン１４上に載置された図示しない原稿は、駆動部３０により移動する光学ユニット２６の露光ランプ１６からの光により照射される。原稿面に照射された光の反射光は第１の反射ミラー１８、第２の反射ミラー１９、第３の反射ミラー２０および集光レンズ２２を介してイメージセンサ２４に到達して光電変換処理を経て原稿画像電気信号として読み取られる。
【００２０】
画像形成装置本体４２には、制御部４４、給紙部４６、画像形成部６０および定着部８０が内蔵されている。画像形成装置本体４２の上面には、ネジ２８を収容するための凹部４２ａが設けられている。制御部４４は画像形成装置１０全体の動作を制御するものである。給紙部４６は、給紙カセット４８、給紙ローラ５０および搬送ローラ対５２からなる。給紙カセット４８は、用紙Ｐを収容するものであり、用紙Ｐはここから給紙ローラ５０により１枚ずつ用紙搬送路５４へ送り出され、搬送ローラ対５２によって搬送される。
【００２１】
画像形成部６０は、感光体ドラム６２と、その周囲に配設された帯電器６４、光走査ユニット６６、現像器６８、転写ローラ７０およびクリーニング器７２を備えている。感光体ドラム６２は図１において時計回りに回転し、まず帯電器６４により感光体ドラム６２の表面は均一に帯電される。次に、光走査ユニット６６から感光体ドラム６２の表面にレーザ光が照射されて、感光体ドラム６２の表面に静電潜像が形成される。そして、現像器６８によって、この静電潜像にトナーが供給されて静電潜像が顕像化する。
【００２２】
感光体ドラム６２がさらに回転し、トナー画像が転写ローラ７０と対向する位置にくると、それに合わせて、感光体ドラム６２と転写ローラ７０との間に用紙Ｐが搬送され、感光体ドラム６２上のトナー画像が用紙Ｐ上に転写される。感光体ドラム６２上の転写されなかった残留トナーは、クリーニング器７２によって感光体ドラム６２上から除去される。
【００２３】
一方、トナー画像が転写された用紙Ｐは、定着ローラ８２と加圧ローラ８４とが圧接してなる定着部８０に搬送され、ここでトナー画像は加熱・加圧されて用紙Ｐに定着する。その後、用紙Ｐは排出ローラ対８６により、排紙口８８から胴内排紙トレイ９０に排出される。
【００２４】
次に、以上の構成からなる画像形成装置１０の輸送について、図３および図４を参照して説明する。図３および図４はそれぞれ、図１の矢印Ａ方向から見た画像読取装置１２の概略断面構成図および画像形成装置１０の概略断面構成図である。
【００２５】
画像形成装置１０を輸送する際には、画像読取装置１２と画像形成装置本体４２とは別々に梱包される。すなわち、画像読取装置１２は、光学ユニット２６が図１の左側の定位置にある状態で、画像形成装置本体４２から外される。その後、図３に示すように、枠体１２ａに螺着した対のネジ２８を、光学ユニット２６の底部に形成したネジ穴２７ｂにねじ込んで光学ユニット２６を枠体１２ａに固定する。これにより、輸送中に光学ユニット２６が画像読取装置１２の内部で動かないため、第１の反射ミラー１８の角度や露光ランプ１６の配置がずれることがなくなる。
【００２６】
輸送後、画像形成装置１０の設置場所で開梱し、枠体１２ａに螺着したネジ２８を緩めて光学ユニット２６の底部から外し、光学ユニット２６の固定を解除する。その後、画像読取装置１２は、枠体１２ａの底部にネジ２８が螺着した状態で、画像形成装置本体４２に据え付けられる。このとき、画像読取装置１２の枠体１２ａの底部から突出しているネジ２８は、画像形成装置本体４２の上面に設けた凹部４２ａに収容されるため、画像読取装置１２の底面と画像形成装置本体４２の上面との間に大きな間隙が発生しない。この結果、ネジ２８が露出せず、外観の悪化を招かない画像形成装置１０が得られる。
【００２７】
以上のように、画像読取装置１２は、固定部材であるネジ２８が枠体１２ａに螺着した状態で、画像形成装置本体４２上に据え付けられるため、光学ユニット２６の固定を解除した後のネジ２８の保管処理に困らない。さらに、ネジ２８の取り付け穴２７ａは、ネジ２８によって塞がれたままであるため、粉塵の画像読取装置１２への侵入を防止できる。
【００２８】
また、固定部材が通常のネジ２８であり、複雑な構成を有する部材ではないため、画像読取装置１２の製造コストが安価となる。さらに、ネジ２８のためのスペースも小さくてすむため、画像読取装置１２の小型化を図ることができる。
【００２９】
なお、本発明は前記実施の形態に限定されるものではなく、その要旨の範囲内で種々に変形される。
【図面の簡単な説明】
【００３０】
【図１】本発明に係る画像形成装置を示す概略構成図である。
【図２】図１に示した画像形成装置の外観斜視図である。
【図３】図１の矢印Ａ方向から見た画像読取装置の概略断面構成図である。
【図４】図１の矢印Ａ方向から見た画像形成装置の概略断面構成図である。
【符号の説明】
【００３１】
１０  画像形成装置
１２  画像読取装置
１２ａ  枠体
２６  光学ユニット
２８  ネジ（固定部材）
４２  画像形成装置本体
４２ａ  凹部
【図１】
2008306670.tif 000003
【図２】
2008306670.tif 000004
【図３】
2008306670.tif 000005
【図４】
2008306670.tif 000006